(57)【要約】      （修正有）【課題】コンテンツ情報の出力先をより容易に変更可能な技術を提供する。【解決手段】第１の出力制御部を識別するための識別情報を送信する送信部への近接を検出する近接判定部と、送信部への近接が検出された場合に、コンテンツ情報の出力先を現在の出力先から第１の出力制御部または第２の出力制御部に変更する制御部と、を備える、情報処理装置を提供する。【選択図】図１
2014044483.tif 000002
【特許請求の範囲】
【請求項１】
第１の出力制御部を識別するための識別情報を有する送信部への近接を検出する近接判定部と、
前記送信部への近接が検出された場合に、コンテンツ情報の出力先を前記第１の出力制御部または第２の出力制御部に変更する制御部と、を備える、情報処理装置。
【請求項２】
前記送信部は、前記近接判定部が近接した際に、前記識別情報を送信可能である、請求項１記載の情報処理装置。
【請求項３】
前記制御部は、前記コンテンツ情報の出力先を現在の出力先である前記第１の出力制御部から前記第２の出力制御部に変更し、前記第１の出力制御部及び前記第２の出力制御部のうち、少なくとも一方の状態に基づいて、前記コンテンツ情報の出力を制御する、請求項１記載の情報処理装置。
【請求項４】
前記制御部は、前記第２の出力制御部に所定の情報出力媒体が接続されているか否かを判定し、判定結果に基づいて、前記コンテンツ情報の出力を制御する、請求項３記載の情報処理装置。
【請求項５】
前記制御部は、前記第２の出力制御部に前記所定の情報出力媒体が接続されていないと判定した場合には、前記第２の出力制御部への前記コンテンツ情報の出力を停止する、請求項４記載の情報処理装置。
【請求項６】
前記コンテンツ情報は音声情報であり、
前記制御部は、前記第１の出力制御部及び前記第２の出力制御部のうち、少なくとも一方の状態に基づいて、前記コンテンツ情報の音量を調整する、請求項３記載の情報処理装置。
【請求項７】
前記制御部は、前記第１の出力制御部に設定された音量及び前記第２の出力制御部に設定された音量のうち、少なくとも一方の音量に基づいて、前記コンテンツ情報の音量を調整する、請求項６記載の情報処理装置。
【請求項８】
前記送信部への近接が検出された場合に、前記第１の出力制御部との通信経路を切断し、かつ、前記第２の出力制御部との通信経路を確立する通信部を備え、
前記制御部は、前記第１の出力制御部及び前記第２の出力制御部のうち、少なくとも一方の通信状態に基づいて、前記コンテンツ情報の出力を制御する、請求項３記載の情報処理装置。
【請求項９】
前記制御部は、前記送信部への近接により前記第１の出力制御部との通信経路が切断された場合に、前記コンテンツ情報の出力を継続する、請求項８記載の情報処理装置。
【請求項１０】
前記制御部は、前記第１の出力制御部に所定の情報出力媒体が接続されているか否かを判定し、前記第１の出力制御部に前記所定の情報出力媒体が接続されていないと判定し、かつ、前記第２の出力制御部との通信経路が確立されている場合には、前記コンテンツ情報の出力を継続する、請求項８記載の情報処理装置。
【請求項１１】
前記制御部は、前記第１の出力制御部との通信経路が切断される前に、前記コンテンツ情報のフェードアウトを開始し、前記第２の出力制御部との通信経路が確立された際に、前記コンテンツ情報のフェードインを開始する、請求項８記載の情報処理装置。
【請求項１２】
第１の出力制御部を識別するための識別情報を有する送信部への近接を検出することと、
前記送信部への近接が検出された場合に、コンテンツ情報の出力先を前記第１の出力制御部または第２の出力制御部に変更することと、を含む、情報処理方法。
【請求項１３】
コンピュータに、
第１の出力制御部を識別するための識別情報を有する送信部への近接を検出する近接判定機能と、
前記送信部への近接が検出された場合に、コンテンツ情報の出力先を前記第１の出力制御部または第２の出力制御部に変更する制御機能と、を実現させる、プログラム。
【発明の詳細な説明】
【技術分野】
【０００１】
本開示は、情報処理装置、情報処理方法、及びプログラムに関する。
【背景技術】
【０００２】
特許文献１、２に開示された技術では、第１の通信機器は、第２の通信機器とＮＦＣ通信を行うことで第２の通信機器から無線通信用のアドレスを取得し、当該アドレスを用いて第２の通信機器（または第３の通信機器）との通信経路を確立する。その後、第１の通信機器は、コンテンツ情報を第２の通信機器（または第３の通信機器）に出力する。
【先行技術文献】
【特許文献】
【０００３】
【特許文献１】特開２００４−３６４１４５号公報
【特許文献２】特開２００７−７４５９８号公報
【発明の概要】
【発明が解決しようとする課題】
【０００４】
しかし、上述した技術では、ユーザは、コンテンツ情報の出力先を第２の通信機器（または第３の通信機器）から他の出力先に変更するためには、メニュー画面等を用いた入力操作を行う必要があった。このため、コンテンツ情報の出力先をより容易に変更可能な技術が求められていた。
【課題を解決するための手段】
【０００５】
本開示によれば、第１の出力制御部を識別するための識別情報を有する送信部への近接を検出する近接判定部と、送信部への近接が検出された場合に、コンテンツ情報の出力先を第１の出力制御部または第２の出力制御部に変更する制御部と、を備える、情報処理装置が提供される。
【０００６】
本開示によれば、第１の出力制御部を識別するための識別情報を有する送信部への近接を検出することと、送信部への近接が検出された場合に、コンテンツ情報の出力先を第１の出力制御部または第２の出力制御部に変更することと、を含む、情報処理方法が提供される。
【０００７】
本開示によれば、コンピュータに、第１の出力制御部を識別するための識別情報を有する送信部への近接を検出する近接判定機能と、送信部への近接が検出された場合に、コンテンツ情報の出力先を第１の出力制御部または第２の出力制御部に変更する制御機能と、を実現させる、プログラムが提供される。
【０００８】
本開示によれば、情報処理装置は、送信部への近接が検出された場合に、音声出力先を第１の出力制御部または第２の出力制御部に変更する。
【発明の効果】
【０００９】
以上説明したように本開示によれば、ユーザは、コンテンツ情報の出力先をより容易に変更することができる。
【図面の簡単な説明】
【００１０】
【図１】本開示の実施形態に係る体験１を説明するための外観図である。
【図２】体験１を説明するための外観図である。
【図３】体験２を説明するための外観図である。
【図４】体験２を説明するための外観図である。
【図５】体験３を説明するための外観図である。
【図６】体験３を説明するための外観図である。
【図７】モバイル機器の構成の一例を示すブロック図である。
【図８】オーディオ機器の構成の一例を示すブロック図である。
【図９】オーディオ機器の構成の一例を示すブロック図である。
【図１０】モバイル機器による処理の手順を示すフローチャートである。
【図１１】モバイル機器による処理の手順を示すフローチャートである。
【図１２】モバイル機器による処理の手順を示すフローチャートである。
【図１３】モバイル機器による処理の手順を示すフローチャートである。
【図１４】モバイル機器による処理の手順を示すフローチャートである。
【図１５】モバイル機器による処理の手順を示すフローチャートである。
【図１６】モバイル機器による処理の手順を示すフローチャートである。
【図１７】モバイル機器による処理の手順を示すフローチャートである。
【図１８】モバイル機器による処理の手順を示すフローチャートである。
【図１９】モバイル機器による処理の手順を示すフローチャートである。
【図２０】モバイル機器による処理の手順を示すフローチャートである。
【図２１】モバイル機器による処理の手順を示すフローチャートである。
【図２２】モバイル機器に表示される画像の一例を示す説明図である。
【図２３】モバイル機器に表示される画像の一例を示す説明図である。
【図２４】モバイル機器に表示される画像の一例を示す説明図である。
【図２５】モバイル機器に表示される画像の一例を示す説明図である。
【図２６】モバイル機器に表示される画像の一例を示す説明図である。
【図２７】モバイル機器に表示される画像の一例を示す説明図である。
【図２８】モバイル機器に表示される画像の一例を示す説明図である。
【図２９】モバイル機器に表示される画像の一例を示す説明図である。
【図３０】モバイル機器に表示される画像の一例を示す説明図である。
【図３１】モバイル機器に表示される画像の一例を示す説明図である。
【図３２】モバイル機器に表示される画像の一例を示す説明図である。
【図３３】モバイル機器に表示される画像の一例を示す説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．各体験の概要
１−１．体験１
１−２．体験２
１−３．体験３
２．モバイル機器の構成
３．オーディオ機器の構成
４．モバイル機器及びオーディオ機器による処理の手順
４−１．体験１に関する基本処理
４−２．体験２に関する基本処理
４−３．体験３に関する基本処理
４−４．体験１におけるイヤホン抜け時の処理
４−５．体験１におけるフェードイン、フェードアウトの処理
４−６．体験２におけるフェードイン、フェードアウトの処理
４−５．体験３におけるフェードイン、フェードアウトの処理
４−６．通信経路確立時（接続時）における音量設定処理
４−７．通信経路切断時における音量設定処理
４−８．オーディオ機器の電源オン処理に関する変形例
【００１３】
＜１．各体験の概要＞
本実施形態に係るモバイル機器（情報処理装置）１００及びオーディオ機器２００、３００は、以下に説明する体験１〜３をユーザに提供することができる。そこで、まず、これらの概要を説明する。
【００１４】
（１−１．体験１）
図１及び図２は体験１を説明する外観図である。モバイル機器１００は、ＮＦＣ（Ｎｅａｒ  Ｆｉｅｌｄ  Ｃｏｍｍｕｎｉｃａｔｉｏｎ）通信用のリーダライタと、無線通信用の無線通信部とを備えており、ＮＦＣ通信及び無線通信を行うことができる。なお、本実施形態の無線通信は、ＮＦＣ通信よりも通信可能範囲が広い無線通信を意味するものとする。
【００１５】
一方、オーディオ機器２００は、ＮＦＣタグが埋め込まれており、かつ、無線通信用の無線通信部を備えている。ＮＦＣタグには、オーディオ機器２００の無線通信用のアドレス（識別情報）が記録されている。したがって、モバイル機器１００とオーディオ機器２００とはＮＦＣ通信及び無線通信を行うことができる。
【００１６】
体験１では、モバイル機器１００が音声情報（コンテンツ情報）を出力している。この例では、モバイル機器１００にイヤホン４００が接続されており、イヤホン４００から音声情報が出力されている。
【００１７】
ユーザは、イヤホン４００で音声情報を聴きながら帰宅し、図１に示すように、オーディオ機器２００にモバイル機器１００を近接（接触）させる。一方、モバイル機器１００は、ＮＦＣタグ起動用の起動情報を用いて定期的にポーリング（起動情報の送信）を行う。したがって、オーディオ機器２００のＮＦＣタグは、ユーザがモバイル機器１００をオーディオ機器２００に近接させた際に、起動情報により起動する。そして、ＮＦＣタグは、無線通信用のアドレス情報を含むＮＦＣ情報をモバイル機器１００に送信する。一方、オーディオ機器２００の電源は、ＮＦＣタグの起動に応じてオンされる。モバイル機器１００は、ＮＦＣ情報からアドレス情報を抽出する（読み取る）ことで、オーディオ機器２００のアドレスを認識する。
【００１８】
そして、図２に示すように、モバイル機器１００は、読み取ったアドレスに基づいて、オーディオ機器２００への接続（通信経路の確立）を試みる。モバイル機器１００は、通信経路が確立された場合には、音声出力先をモバイル機器１００（詳細には、モバイル機器１００内の出力制御部）からオーディオ機器２００（詳細には、オーディオ機器２００内の出力制御部）に変更する。そして、モバイル機器１００は、音声情報を無線通信によりオーディオ機器２００に送信する。オーディオ機器２００は、音声情報を出力する。
【００１９】
これにより、ユーザは、モバイル機器１００をオーディオ機器２００に近接させるだけで、オーディオ機器２００から音声情報を出力させることができる。したがって、例えば、ユーザは、オーディオ機器２００を購入後、特段の設定操作を行わずにオーディオ機器２００から音声情報を出力させることができる。
【００２０】
（１−２．体験２）
図３及び図４は体験２を説明するための外観図である。体験２では、オーディオ機器２００が音声情報を出力している。
【００２１】
ユーザは、音声出力先をオーディオ機器２００からオーディオ機器３００に変更したい場合、モバイル機器１００をオーディオ機器３００に近接させる。ここで、オーディオ機器３００は、オーディオ機器２００と同様の機能を有する。
【００２２】
オーディオ機器３００のＮＦＣタグは、ユーザがオーディオ機器３００にモバイル機器１００を近接させた際に、起動情報により起動する。そして、ＮＦＣタグは、無線通信用のアドレス情報を含むＮＦＣ情報をモバイル機器１００に送信する。一方、オーディオ機器３００の電源は、ＮＦＣタグの起動に応じてオンされる。モバイル機器１００は、ＮＦＣ情報からアドレス情報を抽出することで、オーディオ機器３００のアドレスを認識する。
【００２３】
そして、モバイル機器１００は、オーディオ機器２００との通信経路を切断し、音声出力先をモバイル機器１００に戻す。これにより、オーディオ機器２００は音声情報の出力を停止する。そして、モバイル機器１００は、読み取ったアドレスに基づいて、オーディオ機器３００への接続（通信経路の確立）を試みる。モバイル機器１００は、オーディオ機器３００との通信経路が確立された場合には、音声出力先をモバイル機器１００からオーディオ機器３００（詳細には、オーディオ機器３００内の出力制御部）に変更する。そして、モバイル機器１００は、音声情報を無線通信によりオーディオ機器３００に送信する。オーディオ機器３００は、音声情報を出力する。
【００２４】
これにより、ユーザは、モバイル機器１００をオーディオ機器３００に近接させるだけで、音声出力先を実質的にオーディオ機器２００からオーディオ機器３００に変更することができる。
【００２５】
（１−３．体験３）
図５及び図６は体験３を説明するための外観図である。体験３では、オーディオ機器２００が音声情報を出力している。
【００２６】
ユーザは、音声出力先をオーディオ機器２００からモバイル機器１００に戻したい場合、モバイル機器１００をオーディオ機器２００に近接させる。
【００２７】
オーディオ機器２００のＮＦＣタグは、ユーザがオーディオ機器２００にモバイル機器１００を近接させた際に、起動情報により起動する。そして、ＮＦＣタグは、無線通信用のアドレス情報を含むＮＦＣ情報をモバイル機器１００に送信する。モバイル機器１００は、ＮＦＣ情報からアドレス情報を抽出することで、オーディオ機器２００のアドレスを認識する。
【００２８】
そして、モバイル機器１００は、図６に示すように、オーディオ機器２００との通信経路を切断し、音声出力先をオーディオ機器２００からモバイル機器１００に変更する。これにより、オーディオ機器２００は音声情報の出力を停止する。さらに、モバイル機器１００は、音声情報の出力を開始する。ここで、モバイル機器１００にはイヤホン４００が接続されているので、音声情報はイヤホン４００から出力される。
【００２９】
これにより、ユーザは、例えば音声情報を聴きながら外出したい場合に、モバイル機器１００をオーディオ機器２００に近接させるだけで、音声出力先をオーディオ機器２００からモバイル機器１００に戻すことができる。
【００３０】
以上により、本実施形態では、ユーザは、モバイル機器１００をいずれかのオーディオ機器２００、３００に近接させるだけで音声出力先を変更することができるので、音声出力先をより容易に変更することができる。すなわち、本実施形態では、音声出力先の変更に関するユーザビリティを向上することができる。これにより、ユーザは、音声出力先を変更した場合であっても、音声情報を継続して楽しむことができる（音声出力先変更のたびに音声情報の出力を停止する必要がない）。
【００３１】
＜２．モバイル機器の構成＞
次に、図７に基づいて、モバイル機器１００の構成について説明する。モバイル機器１００は、ＮＦＣ通信、無線通信、及び音声情報の出力等が可能であり、かつ、ユーザが携行可能な機器である。モバイル機器１００としては、例えばスマートフォン、携帯電話、携帯音楽プレーヤ等が挙げられる。
【００３２】
モバイル機器１００は、制御部１１０ａと、イヤホン（情報出力媒体）４００と、スピーカ１５０と、無線通信部（通信部）１６０と、ＮＦＣリーダライタ（近接判定部）１７０と、バイブレーション装置１８０と、表示部１９０とを備える。制御部１１０ａは、音楽アプリ部１１０と、ハンドオーバアプリ部１２０と、イヤホン挿抜状態監視部１３１と、音声出力制御部（出力制御部）１３２と、無線通信制御部１３３と、ＮＦＣ制御部１３４と、表示制御部１３５とを備える。
【００３３】
なお、モバイル機器１００は、ＣＰＵ、ＲＯＭ、ＲＡＭ、各種メモリ、イヤホン、スピーカ、通信装置等のハードウェア構成を有する。ＲＯＭには、モバイル機器１００に上記の各構成を実現させるためのプログラムが記録されている。ＣＰＵは、ＲＯＭに記録されたプログラムを読みだして実行する。したがって、これらのハードウェア構成により、上記の各構成、特に制御部１１０ａが実現される。なお、制御部１１０ａのうち、音楽アプリ部１１０及びハンドオーバアプリ部１２０以外の構成は、モバイル機器１００の全体を制御するオペレーションシステム（ＯＳ）によって実現されてもよい。
【００３４】
音楽アプリ部１１０は、音楽アプリ制御部１１１を備える。音楽アプリ制御部１１１は、音声情報（音楽情報等）を取得し、音声出力制御部１３２に出力する。なお、音楽アプリ制御部１１１は、モバイル機器１００に予め記憶されている音声情報を取得してもよく、ネットワークから音声情報を取得してもよい。
【００３５】
音楽アプリ制御部１１１は、所定の場合を除き、音声情報の出力を継続する。例えば、音楽アプリ制御部１１１は、音声出力先の変更により各機器からの音声出力が一時的に中断した場合であっても、音声情報の出力を継続する。ここで、所定の場合としては、例えばイヤホン４００がモバイル機器１００から抜けた場合等が挙げられる。したがって、各機器からの出力が再開された場合、各機器は、中断期間の分だけ進んだ音声情報を出力する。これにより、ユーザは、より違和感の少ない音声情報を聴くことができる。もちろん、音楽アプリ制御部１１１は、音声出力先が変更される毎に音声情報の出力を一時的に停止してもよい。
【００３６】
また、音楽アプリ制御部１１１は、音声情報の出力（再生）に関する各種の画像を生成し、表示制御部１３５に出力する。
【００３７】
ハンドオーバアプリ部１２０は、ハンドオーバ制御部１２１及び音声出力先表示・変更ＵＩ（ユーザインタフェース）部１２２を備える。ハンドオーバ制御部１２１は、ハンドオーバ（音声出力先の変更）に関する各種の制御を行う。音声出力先表示・変更ＵＩ部１２２は、ハンドオーバに関する各種の画像を生成し、表示制御部１３５に出力する。
【００３８】
イヤホン挿抜状態監視部１３１は、イヤホン４００の挿抜状態（抜き差し状態）を監視（検出）し、監視結果に関する監視結果情報を音楽アプリ制御部１１１、音声出力制御部１３２、及び音声出力先表示・変更ＵＩ部１２２に出力する。
【００３９】
音声出力制御部１３２は、音声情報の出力先をイヤホン４００、スピーカ１５０、及び無線通信制御部１３３のいずれかに決定し、決定した出力先に音声情報を出力する。概略的には、音声出力制御部１３２は、イヤホン４００が音声出力制御部１３２（すなわち、モバイル機器１００）に接続されている場合には音声出力先をイヤホン４００とし、イヤホン４００が音声出力制御部１３２に接続されていない場合には、音声出力先をスピーカ１５０とする。また、音声出力制御部１３２は、ハンドオーバアプリ部１２０からの要求により、音声出力先を無線通信制御部１３３に決定する。なお、音声出力制御部１３２には音量が設定されており、音楽アプリ制御部１１１から与えられた音声情報を、当該音声出力制御部１３２に設定された音量でイヤホン４００（またはスピーカ１５０）等に出力する。音声出力制御部１３２に設定された音量は、ユーザ操作により調整されてもよい。
【００４０】
無線通信制御部１３３は、上述した無線通信に関する各種処理を行う。なお、後述するように、無線通信制御部１３３は、音声情報を無線通信部１６０に出力する場合がある。この場合、無線通信制御部１３３は、音声出力制御部１３２に設定された音量で音声情報を無線通信部１６０に出力する。ＮＦＣ制御部１３４は、上述したＮＦＣ通信に関する各種処理を行う。表示制御部１３５は、音楽アプリ制御部１１１及び音声出力先表示・変更ＵＩ部１２２から与えられた画像を表示部１９０に表示する。
【００４１】
イヤホン４００及びスピーカ１５０は、音声情報を出力する。無線通信部１６０は、無線通信制御部１３３による制御により、オーディオ機器２００、３００と無線通信を行う。ＮＦＣリーダライタ１７０は、ＮＦＣ制御部１３４による制御により、オーディオ機器２００、３００とＮＦＣ通信を行う。バイブレーション装置１８０は、ハンドオーバ制御部１２１による制御によりモバイル機器１００を振動させる。表示部１９０は、表示制御部１３５による制御により各種画像を表示する。
【００４２】
＜３．オーディオ機器の構成＞
次に、図８に基づいて、オーディオ機器２００の構成を説明する。オーディオ機器２００は、ＮＦＣ通信、無線通信、及び音声情報の出力等が可能なオーディオ機器である。オーディオ機器２００としては、例えば、無線通信に対応したスピーカ、イヤホン、システムコンポ、ホームシアター、及び車載オーディオ等が挙げられる。オーディオ機器２００は、無線通信部２１０、ＮＦＣタグ部（送信部）２２０、電源部２３０、無線通信制御部２４０、ＮＦＣ制御部２５０、電源制御部２６０、制御部２７０、音声出力制御部２８０、及びスピーカ２９０を備える。
【００４３】
なお、オーディオ機器２００は、ＣＰＵ、ＲＯＭ、ＲＡＭ、各種メモリ、スピーカ、通信装置等のハードウェア構成を有する。ＲＯＭには、モバイル機器１００に上記の各構成を実現させるためのプログラムが記録されている。ＣＰＵは、ＲＯＭに記録されたプログラムを読みだして実行する。したがって、これらのハードウェア構成により、上記の各構成が実現される。
【００４４】
無線通信部２１０は、無線通信制御部２４０による制御により、モバイル機器１００と無線通信を行う。これにより、無線通信部２１０は、モバイル機器１００から音声情報を取得する。この音声情報は、無線通信制御部２４０、制御部２７０、及び音声出力制御部２８０を介してスピーカ２９０に出力される。
【００４５】
ＮＦＣタグ部２２０は、音声出力制御部２８０（すなわちオーディオ機器２００）を識別するためのアドレス（識別情報）を記憶しており、ＮＦＣ制御部２５０による制御により、モバイル機器１００とＮＦＣ通信を行う。
【００４６】
電源部２３０は、コンセントに接続可能なプラグ、電源コード、電源スイッチ等で構成される。電源部２３０は、電源制御部２６０によりオンオフが制御される。無線通信制御部２４０は、無線通信に関する各種処理を行う。ＮＦＣ制御部２５０は、ＮＦＣ通信に関する各種処理を行う。
【００４７】
制御部２７０は、オーディオ機器２００全体の制御を行う。音声出力制御部２８０は、無線通信部２１０から与えられた音声情報をスピーカ２９０に出力する。ここで、音声出力制御部２８０には音量が設定されており、音声出力制御部２８０は、無線通信部２１０から与えられた音声情報を、当該設定された音量でスピーカ２９０に出力する。スピーカ２９０は、音声情報を出力する。なお、スピーカ２９０から最終的に出力される音声情報の音量は、モバイル機器１００の音声出力制御部１３２に設定された音量と音声出力制御部２８０に設定された音量とを乗じた値となる。音声出力制御部２８０に設定された音量は、ユーザ操作により調整されうる。
【００４８】
図９は、オーディオ機器３００の構成を示すブロック図である。オーディオ機器３００は、ＮＦＣ通信、無線通信、及び音声情報等のコンテンツ情報の出力等が可能なオーディオ機器である。オーディオ機器３００は、無線通信部３１０、ＮＦＣタグ部３２０、電源部３３０、無線通信制御部３４０、ＮＦＣ制御部３５０、電源制御部３６０、制御部３７０、音声出力制御部３８０、及びスピーカ３９０を備える。オーディオ機器３００の構成はオーディオ機器２００と同様なので、説明を省略する。
【００４９】
＜４．モバイル機器及びオーディオ機器による処理の手順＞
次に、モバイル機器１００及びオーディオ機器２００、３００による処理の手順を説明する。
【００５０】
（４−１．体験１に関する基本処理）
まず、図１０及び図１１に基づいて、体験１の基本処理について説明する。図１０は、オーディオ機器２００が行う処理を示す。前提として、ユーザは、モバイル機器１００を用いて音声情報を聴いている。
【００５１】
すなわち、図１に示すように、モバイル機器１００にはイヤホン４００が接続されており、音楽アプリ制御部１１１は、音声情報を音声出力制御部１３２に出力する。なお、音楽アプリ制御部１１１は、後述する場合を除き、音声情報を継続して出力する。音声出力制御部１３２は、イヤホン４００に音声情報を出力する。一方、音楽アプリ制御部１１１は、現在出力中の音声情報を示す音声情報画像を生成し、表示制御部１３５に出力する。表示制御部１３５は、音声情報画像と、各種情報を示す背景画像とを重畳して表示部１９０に表示する。図２２に表示例を示す。この例では、背景画像５１０に音声情報画像５００が重畳されている。
【００５２】
ステップＳ１０において、ユーザは、図１に示すように、モバイル機器１００をオーディオ機器２００に近接させる。ここで、モバイル機器１００のＮＦＣリーダライタ１７０は、ＮＦＣタグ起動用の起動情報を用いて定期的にポーリングを定期的に行う。モバイル機器１００がポーリングを行うタイミングは特に制限されない。例えば、モバイル機器１００は、表示部１９０に何らかの画像（例えば図２２に示す画像）が表示されている場合（画面オン）にポーリングを行うようにしてもよい。バッテリの消耗を抑えるためである。なお、モバイル機器１００は、表示部１９０に画像が表示されていない（画面オフ）場合にもポーリングを行なってもよい。この場合、ポーリングの間隔を画面オン時のポーリングよりも長くすることが好ましい。また、モバイル機器１００は、音楽アプリの実行中にポーリングを行なってもよい。この場合にも、バッテリの消耗を抑えることができる。ポーリングのタイミングは、ＮＦＣ制御部１３４によって設定される。
【００５３】
また、バッテリの消耗を抑えるという観点からは、ＮＦＣリーダライタをオーディオ機器２００に内蔵させ、ＮＦＣタグをモバイル機器１００に内蔵させるようにしてもよい。
【００５４】
ＮＦＣタグ部２２０は、起動情報を受信した場合、起動情報によって起動する。そして、ＮＦＣタグ部２２０は、ＮＦＣリーダライタ１７０が近接したと判定し（ＮＦＣ検知）、その旨の近接検知情報をＮＦＣ制御部２５０に出力する。さらに、ＮＦＣタグ部２２０は、アドレス情報及びオーディオ機器情報（オーディオ機器２００の名称を示す情報）を含むＮＦＣ情報をモバイル機器１００に送信する。一方、ＮＦＣリーダライタ１７０は、ＮＦＣ情報を受信する。これにより、ＮＦＣリーダライタ１７０は、ＮＦＣタグ部２２０の近接を検出する。
【００５５】
ステップＳ２０において、ＮＦＣ制御部２５０は、電源部２３０がオンされているか否かを判定する。ＮＦＣ制御部２５０は、電源部２３０がオンされていると判定した場合には、ステップＳ４０に進み、電源部２３０がオフされていると判定した場合には、ステップＳ３０に進む。
【００５６】
ステップＳ３０において、ＮＦＣ制御部２５０は、電源制御部２６０に電源オン要請を行い、電源制御部２６０は、電源部２３０をオンする。これにより、オーディオ機器２００が起動する。ステップＳ４０において、制御部２７０は、無線通信の接続待ち受けモードに移行する。その後、オーディオ機器２００は、図１０の処理を終了する。
【００５７】
一方、モバイル機器１００は、図１１に示す処理を行う。ステップＳ５０において、ＮＦＣリーダライタ１７０は、ＮＦＣ情報を取得することで、ＮＦＣタグ部２２０の近接、すなわちオーディオ機器２００の近接を検知する。そして、ＮＦＣリーダライタ１７０は、ＮＦＣ情報をＮＦＣ制御部１３４に出力し、ＮＦＣ制御部１３４は、ＮＦＣ情報をハンドオーバ制御部１２１に出力する。
【００５８】
ステップＳ６０において、ハンドオーバ制御部１２１は、ハンドオーバレコードを取得する。ここで、ハンドオーバレコードは、後述するペアリングが成功したオーディオ機器のアドレス情報とオーディオ機器の名称とが関連づけられたテーブルであり、ハンドオーバアプリ部１２０によって管理される。具体的には、ハンドオーバレコードは、例えばモバイル機器１００の記録媒体に記憶され、ハンドオーバ制御部１２１によって読み出される。ハンドオーバレコードは、ネットワーク上に記録されていても良い。
【００５９】
ステップＳ７０において、ハンドオーバ制御部１２１は、ＮＦＣ情報からアドレス情報を抽出し、アドレス情報及びハンドオーバレコードを無線通信制御部１３３に出力する。ステップＳ８０において、無線通信制御部１３３は、無線通信が有効であるか否かを判定する。無線通信制御部１３３は、無線通信が有効であると判定した場合には、ステップＳ１００に進み、無線通信が無効であると判定した場合には、ステップＳ９０に進む。
【００６０】
ステップＳ９０において、無線通信制御部１３３は、無線通信を有効化させる処理（例えば、無線通信部１６０を起動する処理等）を行う一方、その旨をハンドオーバアプリ部１２０に通知する。音声出力先表示・変更ＵＩ部１２２は、無線通信を有効化させる処理が行われていることを報知する有効化報知画像を生成し、表示制御部１３５に出力する。表示制御部１３５は、有効化報知画像を表示部１９０に表示する。
【００６１】
図２３に表示例を示す。この例では、有効化報知画像６１０が表示部１９０の全画面に表示されている。この例では、有効化報知画像６１０は、無線通信を有効にしている旨の文字情報と、モバイル機器１００及びオーディオ機器２００のアイコンとを含む。また、背景画像５１０等は接続報知画像６００の裏側に半透明で表示される。図２３では、背景画像５１０等が半透明であることをドットハッチ及び破線で示した。これにより、ユーザは、少なくともＮＦＣ検知は終了したこと、すなわち、モバイル機器１００をオーディオ機器２００に適切にかざせた（近接させた）ことを認識し、モバイル機器１００をオーディオ機器２００から離すことができる。すなわち、ユーザは、モバイル機器１００をオーディオ機器２００から離すタイミングを容易に認識することができる。また、ユーザは、背景画像５１０等も視認することができる。例えば、ユーザは、音声情報付きの動画情報を視聴している場合、音声情報の出力先を変更しつつ、動画情報を視認することができる。
【００６２】
特に、この表示例では、表示部１９０の全画面に有効化報知画像６１０が表示されるので、ユーザは、モバイル機器１００をオーディオ機器２００から離すタイミングをより容易に認識することができる。また、ユーザは、現在どのような処理が行われており、ユーザが何をすべきなのか（この時点では待機）を容易に把握することができる。なお、表示部１９０は、有効化報知画像６１０の表示を短時間で終了することで、ユーザの利便性の低下（他の操作ができない等）を抑えることができる。このように、本実施形態では、ＵＩを用いてユーザへのフィードバックを行う。
【００６３】
なお、音声出力制御部１３２は、この表示に合わせて報知用の音声情報をスピーカから出力してもよい。また、ハンドオーバ制御部１２１は、この表示に合わせてバイブレーション装置１８０を振動させてもよい。これらの処理が画像表示と併用される場合、ユーザは、モバイル機器１００をオーディオ機器２００から離すタイミングをより容易に認識することができる。モバイル機器１００は、画像表示、音声出力、バイブレーションのいずれか１つを選択的に行ってもよい。ただし、ユーザは、音楽アプリ制御部１１１からの音声情報を聴いているので、音声出力に気づかない可能性がある。そこで、音声出力は他の処理（画像表示、バイブレーション）と併用されることが好ましい。音声出力制御部１３２及びハンドオーバ制御部１２１は、以下に説明する各報知画像が表示される場合にも、音声出力及びバイブレーションを行なってもよい。
【００６４】
また、モバイル機器１００は、ステップＳ９０以降の処理中に、ユーザがモバイル機器１００を再度オーディオ機器２００に近接させても、当該近接に応じた処理を行わないようにする。すなわち、モバイル機器１００は、ステップＳ９０以降の処理を継続して行う。これにより、ユーザは、モバイル機器１００の現在の通信状態を把握しやすくなるので、近接操作等に戸惑うことが低減される。なお、モバイル機器１００は、ステップＳ９０以降の処理中に、ユーザがモバイル機器１００を再度オーディオ機器２００に近接させた場合、「処理中です」等の文字情報を表示部１９０に表示してもよい。
【００６５】
ステップＳ１００において、無線通信制御部１３３は、ハンドオーバレコードに基づいて、アドレス情報が示すオーディオ機器２００とペアリング済みであるか否かを判定する。無線通信制御部１３３は、ハンドオーバレコードにアドレス情報が含まれている場合には、オーディオ機器２００とペアリング済みであると判定し、ハンドオーバレコードにアドレス情報が含まれていない場合には、オーディオ機器２００とペアリング済みでないと判定する。
【００６６】
無線通信制御部１３３は、オーディオ機器２００とペアリング済みであると判定した場合には、ステップＳ１２０に進み、オーディオ機器２００とペアリング済みでないと判定した場合には、ステップＳ１１０に進む。
【００６７】
ステップＳ１１０において、無線通信制御部１３３は、オーディオ機器２００の無線通信部２１０とのペアリング（例えば、アドレス情報の交換等）を開始する一方、ペアリングを開始する旨をハンドオーバアプリ部１２０に通知する。また、無線通信制御部１３３は、ペアリングの進捗状況もハンドオーバアプリ部１２０に逐次通知する。
【００６８】
音声出力先表示・変更ＵＩ部１２２は、ペアリング（ペア設定）が行われていることを報知するペアリング報知画像を生成し、表示制御部１３５に出力する。表示制御部１３５は、ペアリング報知画像を表示部１９０に表示する。
【００６９】
図２４に表示例を示す。この例では、ペアリング報知画像６２０が表示部１９０の全画面に表示されている。この例では、ペアリング報知画像６２０は、オーディオ機器２００（この例では「ＡＢＣＤＥ」）とのペアリングが行われている旨の文字情報と、モバイル機器１００及びオーディオ機器２００のアイコンと枠画像６３０と、ゲージ画像６４０とを含む。文字情報には、ペアリングが初回のみ行われることを示す情報も含まれる。ゲージ画像６４０は、ペアリングが進む毎に右側に伸びていき、ペアリングが終了した時点で枠画像６３０がゲージ画像６４０でうめつくされる。これにより、ユーザは、ペアリングが開始されたこと、ペアリングは初回のみ行われること、及びペアリングがどの程度で終了するかを認識することができる。したがって、ユーザは、待機のストレスを低減させることができる。また、図１１の処理が行われる前に無線通信が有効化されていた場合、ユーザは、ペアリング報知画像６２０を視認することで、モバイル機器１００をオーディオ機器２００に適切にかざせたことを認識することができる。
【００７０】
無線通信制御部１３３は、ペアリングが終了した場合には、アドレス情報をハンドオーバレコードに登録し、ステップＳ１２０に進む。
【００７１】
ステップＳ１２０において、無線通信制御部１３３は、アドレス情報が示すオーディオ機器２００、すなわち無線通信部２１０への接続処理（無線通信の通信経路を確立する処理）を開始する。一方、無線通信制御部１３３は、オーディオ機器２００との接続を行う旨をハンドオーバアプリ部１２０に通知する。
【００７２】
ハンドオーバ制御部１２１は、音声出力制御部１３２に音声情報の出力を停止することを要求する。これに応じて、音声出力制御部１３２は、音楽アプリ制御部１１１から与えられた音声情報の出力を停止する。例えば、音声出力制御部１３２は、音楽アプリ制御部１１１から与えられた音声情報を破棄する。ただし、音楽アプリ制御部１１１は、音声情報の出力を継続する。
【００７３】
音声出力先表示・変更ＵＩ部１２２は、オーディオ機器２００への接続処理が行われていることを報知する接続報知画像を生成し、表示制御部１３５に出力する。表示制御部１３５は、接続報知画像を表示部１９０に表示する。
【００７４】
図２５に表示例を示す。この例では、接続報知画像６５０が表示部１９０の全画面に表示されている。この例では、接続報知画像６５０は、接続が行われている旨の文字情報と、モバイル機器１００及びオーディオ機器２００のアイコンとを含む。これにより、ユーザは、接続が開始されたことを認識することができる。また、図１１の処理が行われる前に無線通信が有効化され、かつ、ペアリングが終了していた場合、ユーザは、接続報知画像６５０を視認することで、モバイル機器１００をオーディオ機器２００に適切にかざせたことを認識することができる。
【００７５】
無線通信制御部１３３は、オーディオ機器２００への接続が完了した場合には、その旨をハンドオーバアプリ部１２０に通知する。音声出力先表示・変更ＵＩ部１２２は、オーディオ機器２００への接続が完了したことを報知する接続完了報知画像を生成し、表示制御部１３５に出力する。表示制御部１３５は、接続完了報知画像を表示部１９０に表示する。
【００７６】
図２６に表示例を示す。この例では、接続完了報知画像６６０が表示部１９０の全画面に表示されている。この例では、接続完了報知画像６６０は、接続が完了した旨の文字情報と、モバイル機器１００及びオーディオ機器２００のアイコンとを含む。これにより、ユーザは、接続が完了したことを認識することができる。
【００７７】
一方、ハンドオーバ制御部１２１は、音声出力先を現在の出力先（イヤホン４００）から無線通信制御部１３３に変更することを要求する旨の変更要求情報を音声出力制御部１３２に出力する。これに応じて、音声出力制御部１３２は、音声情報の出力先を現在の出力先（イヤホン４００）から無線通信制御部１３３に変更する。無線通信制御部１３３は、音声情報を音声出力制御部１３２に設定された音量で無線通信部１６０に出力する。
【００７８】
無線通信部１６０は、音声情報を無線通信部２１０に送信する。無線通信部２１０は、音声情報を無線通信制御部２４０、及び制御部２７０を介して音声出力制御部２８０に出力する。音声出力制御部２８０は、音声情報を音声出力制御部２８０に設定された音量でスピーカ２９０から出力する。これにより、ハンドオーバ制御部１２１は、音声出力先をモバイル機器１００内の音声出力制御部１３２からオーディオ機器２００内の音声出力制御部２８０に変更する。
【００７９】
また、音楽アプリ制御部１１１は、モバイル機器１００とオーディオ機器２００との接続処理中にも音声情報を継続して音声出力制御部１３２に出力するが、音声出力制御部１３２はこの音声情報を破棄する。したがって、モバイル機器１００からの音声情報の出力が中断される。そして、モバイル機器１００とオーディオ機器２００との接続が確立された場合には、音声情報がオーディオ機器２００から出力される。したがって、オーディオ機器２００は、音声情報の出力が中断された期間、すなわち中断期間の分だけ進んだ音声情報を出力する。以上の処理により、体験１が実現される。
【００８０】
なお、ユーザは、イヤホン４００が挿入されたモバイル機器１００をオーディオ機器２００に近接させる場合がある。本実施形態では、モバイル機器１００は、オーディオ機器２００との通信経路が確立された場合、音声出力先を現在の出力先（イヤホン４００）から無線通信制御部１３３に変更する。そして、無線通信制御部１３３は、イヤホン４００の挿抜状態にかかわらず、音声情報をオーディオ機器２００に送信する。したがって、本実施形態では、ユーザは、イヤホン４００が挿入されたモバイル機器１００をオーディオ機器２００に近接させた場合でも、オーディオ機器２００から音声情報を出力させることができる。すなわち、本実施形態では、音声出力先の優先度は、イヤホン４００よりもＮＦＣハンドオーバによりモバイル機器１００に接続されたオーディオ機器２００の方が高い。これにより、ユーザは、より手間なく体験１を実現することができる。
【００８１】
なお、イヤホン４００の優先度がオーディオ機器２００よりも高い場合、ユーザは、イヤホン４００が挿入されたモバイル機器１００をオーディオ機器２００に近接させても、音声出力先をオーディオ機器２００に変更することができない。また、この場合、イヤホン４００から引き続き音声情報が出力される。したがって、ユーザは、イヤホン４００を耳から外していた場合、オーディオ機器２００から音声情報が出力されない理由を把握しにくいことが予想される。このように、イヤホン４００の優先度がオーディオ機器２００よりも高い場合、ユーザは、体験１を実現させるのに手間がかかってしまう。しかし、本実施形態では、オーディオ機器２００の優先度は、イヤホン４００よりも高いので、ユーザは、より手間なく体験１を実現することができる。
【００８２】
ここで、接続報知画像の変形例を幾つか説明する。図２７は、接続報知画像の変形例である接続報知画像６００を示す。この変形例では、接続報知画像６００は表示部１９０の表示画面の一部だけ専有する。また、背景画像５１０等は、暗転表示される。図２７では、暗転表示をハッチングで示す。この変形例によれば、ユーザは、現在どのような処理が行われており、ユーザが何をすべきなのかを把握することができ、かつ、背景画像５１０等も視認することができる。
【００８３】
図２８は、接続報知画像の変形例である接続報知画像７００を示す。接続報知画像７００は、表示部１９０の左上端部に表示される。接続報知画像７００は、接続が行われている旨の文字情報「ｃｏｎｎｅｃｔｉｎｇ・・・」のみを表示する。すなわち、接続報知画像７００は、必要最小限の情報のみユーザに提示する。一方、背景画像５１０等は通常通り（図２２と同様に）表示される。これにより、ユーザは、現在どのような処理が行われており、ユーザが何をすべきなのかを把握することができ、かつ、背景画像５１０等をより容易に視認することができる。
【００８４】
なお、接続報知画像として接続報知画像６００、６５０、７００のどれを表示するかは、例えばユーザが任意に決定できるものとすればよい。例えば、ユーザは、ハンドオーバに慣れていない場合には接続報知画像６００または６５０を選択し、ハンドオーバに慣れた場合には、接続報知画像７００を選択することもできる。上記の変形例は、他の報知画像にも適用可能である。
【００８５】
図２９は、確認ダイアログ画像７１０を示す。すなわち、音声出力先表示・変更ＵＩ部１２２は、ステップＳ９０の処理が行われる前、すなわち無線通信が有効化される前に、確認ダイアログ画像７１０を表示部１９０に表示してもよい。確認ダイアログ画像７１０は、無線通信を有効するか否かを問い合わせる旨の文字情報と、「はい」ボタン７１０ａと、「いいえ」ボタン７１０ｂとを含む。無線通信制御部１３３は、ユーザが「はい」ボタン７１０ａを選択した場合には、ステップＳ９０の処理を行い、ユーザが「いいえ」ボタン７１０ｂを選択した場合には、図１１に示す処理を終了する。これにより、ユーザの意図しない接続（例えば、他人のオーディオ機器への接続）が行われる可能性を低減させることができる。
【００８６】
図３０は、確認ダイアログ画像７２０を示す。すなわち、音声出力先表示・変更ＵＩ部１２２は、ステップＳ１２０の処理が行われる前、すなわちオーディオ機器２００との接続が行われる（無線通信の通信経路が確立される）前に、確認ダイアログ画像７２０を表示部１９０に表示してもよい。確認ダイアログ画像７２０は、オーディオ機器２００と接続するか否かを問い合わせる旨の文字情報と、「はい」ボタン７２０ａと、「いいえ」ボタン７２０ｂとを含む。無線通信制御部１３３は、ユーザが「はい」ボタン７２０ａを選択した場合には、ステップＳ１２０の処理を行い、ユーザが「いいえ」ボタン７２０ｂを選択した場合には、図１１に示す処理を終了する。これにより、ユーザの意図しない接続が行われる可能性を低減させることができる。
【００８７】
ユーザは、確認ダイアログ７１０、７２０をモバイル機器１００に表示させるか否かを任意に選択可能である。確認ダイアログ７１０、７２０がモバイル機器１００に表示されないほうが、音声出力先がスムーズに変更される。一方、確認ダイアログ７１０、７２０がモバイル機器１００に表示されることで、ユーザの意図しない接続が行われる可能性を低減させることができる。ユーザは、これらのメリットを考慮して、確認ダイアログ７１０、７２０をモバイル機器１００に表示させるか否かを決定すればよい。
【００８８】
図３１は、モバイル機器１００に現在接続されている機器を一覧表示するリスト画像７３０を示す。表示制御部１３５は、ユーザからの要求に応じてリスト画像７３０を表示部１９０に表示してもよい。リスト画像７３０には、オーディオ機器２００との接続状態（この例では接続中）、及びオーディオ機器２００の名称等が記載されている。これにより、ユーザは、オーディオ機器２００との接続状態（この例では接続中）、及びオーディオ機器２００の名称等を容易に確認することができる。
【００８９】
図３２は、ハンドオーバレコードの一例であるハンドオーバレコード８００を示す。すなわち、音声出力先表示・変更ＵＩ部１２２は、ユーザからの要求に応じてハンドオーバレコード８００を表示部１９０に表示してもよい。ハンドオーバレコード８００は、機器のアイコン及び名称を関連付けて表示する。これらの機器は、モバイル機器１００とのペアリングが終了しているものである。なお、「ＡＢＣ」はモバイル機器１００自身を示す。すなわち、ハンドオーバレコード８００には、モバイル機器１００も含まれる。また、現在の音声出力先に対応する行８１０には、現在の音声出力先であることを示すアイコン８２０が表示される。
【００９０】
ユーザは、ハンドオーバレコード８００にリストアップされた機器からいずれかの機器を選択しても良く、無線通信制御部１３３は、選択された機器と無線通信の通信経路を確立してもよい。これにより、ユーザは、表示画面上からも音声出力先を変更することができる。
【００９１】
また、モバイル機器１００のアイコンは、イヤホン４００の挿抜状態に応じて変化してもよい。すなわち、モバイル機器１００のアイコンは、イヤホン４００が挿入されている場合にはイヤホン４００付きのアイコンとなり、イヤホン４００が抜かれている場合には、イヤホン４００なしのアイコンとなる（図３２の例）。これにより、ユーザは、実質的な音声出力先（スピーカ１５０またはイヤホン４００）を容易に把握することができる。
【００９２】
また、無線通信制御部１３３は、無線通信部１６０を用いてモバイル機器１００周辺をスキャンし、応答があったもののみをハンドオーバレコード８００に表示してもよい。また、ハンドオーバレコード８００は、応答があった機器を表示し、応答がなかった機器をグレーアウト表示してもよい。これにより、ユーザは、どの機器を音声出力先として選択できるかを容易に把握することができる。
【００９３】
なお、ハンドオーバレコードは音楽アプリ制御部１１１によって管理されてもよい。図３３は、音楽アプリ制御部１１１によって管理されるハンドオーバレコード９００を示す。すなわち、音楽アプリ制御部１１１は、音楽アプリの実行中にハンドオーバレコード９００を表示部１９０に表示することができる。これにより、ユーザは、音楽アプリを中断させることなくハンドオーバレコード９００を呼び出せるので、ユーザビリティが向上する。
【００９４】
ハンドオーバレコード９００の構成はハンドオーバレコード８００と同様である。すなわち、ハンドオーバレコード９００は、機器のアイコン及び名称を関連付けて表示する。これらの機器は、モバイル機器１００とのペアリングが終了しているものである。なお、「ＡＢＣ」はモバイル機器１００自身を示す。すなわち、ハンドオーバレコード９００には、モバイル機器１００も含まれる。また、現在の音声出力先に対応する行９１０には、現在の音声出力先であることを示すアイコン９２０が表示される。また、ハンドオーバレコード９００には、キャンセルボタン９３０が含まれる。音楽アプリ制御部１１１は、ユーザがキャンセルボタン９３０を選択した場合、ハンドオーバレコード９００の表示を終了する。ハンドオーバレコード９００は、ハンドオーバレコード８００と同様に、イヤホン４００の挿抜状態に応じてアイコンを変更可能であり、また、スキャン結果に応じて各行の表示態様を変更可能である。
【００９５】
（４−２．体験２に関する基本処理）
次に、体験２に関する基本処理を図１２に示すフローチャートに沿って説明する。前提として、図３に示すように、オーディオ機器２００が音声情報を出力している、すなわち、上述した体験１の処理が行われたものとする。ユーザは、音声出力先をオーディオ機器２００からオーディオ機器３００に変更するために、モバイル機器１００をオーディオ機器３００に近接させる。これに応じて、オーディオ機器３００は、体験１のオーディオ機器２００と同様の処理（図１０に示す処理）を行う。一方、モバイル機器１００は、図１２に示す処理を行う。
【００９６】
ステップＳ１３０において、ＮＦＣリーダライタ１７０は、オーディオ機器３００からＮＦＣ情報を取得することで、ＮＦＣタグ部３２０の近接、すなわちオーディオ機器３００の近接を検知する。そして、ＮＦＣリーダライタ１７０は、ＮＦＣ情報をＮＦＣ制御部１３４に出力し、ＮＦＣ制御部１３４は、ＮＦＣ情報をハンドオーバ制御部１２１に出力する。
【００９７】
ステップＳ１４０において、ハンドオーバ制御部１２１は、ハンドオーバレコードを取得する。ステップＳ１５０において、ハンドオーバ制御部１２１は、ＮＦＣ情報からアドレス情報を抽出し、アドレス情報及びハンドオーバレコードを無線通信制御部１３３に出力する。
【００９８】
ステップＳ１６０において、無線通信制御部１３３は、無線通信が有効であるか否かを判定する。無線通信制御部１３３は、無線通信が有効であると判定した場合には、ステップＳ１８０に進み、無線通信が無効であると判定した場合には、ステップＳ１７０に進む。
【００９９】
ステップＳ１７０において、無線通信制御部１３３は、無線通信を有効化させる処理（例えば、無線通信部１６０を起動する処理等）を行う一方、その旨をハンドオーバアプリ部１２０に通知する。音声出力先表示・変更ＵＩ部１２２は、無線通信を有効化させる処理が行われていることを報知する有効化報知画像を生成し、表示制御部１３５に出力する。表示制御部１３５は、有効化報知画像を表示部１９０に表示する。有効化報知画像は、図２３と同様の構成であればよい。
【０１００】
ステップＳ１８０において、無線通信制御部１３３は、オーディオ機器３００（すなわち、抽出したアドレス情報が示すオーディオ機器）以外のオーディオ機器と接続中（無線通信の通信経路が確立中）であるか否かを判定する。無線通信制御部１３３は、オーディオ機器３００以外のオーディオ機器と接続中であると判定した場合には、ステップＳ１９０に進み、オーディオ機器３００以外のオーディオ機器と接続されていないと判定した場合には、ステップＳ２００に進む。
【０１０１】
ステップＳ１９０において、無線通信制御部１３３は、オーディオ機器３００以外のオーディオ機器との通信経路を切断する。さらに、ハンドオーバ制御部１２１は、音声出力制御部１３２に音声情報の出力を停止することを要求する。これに応じて、音声出力制御部１３２は、音楽アプリ制御部１１１から与えられた音声情報の出力を停止する。例えば、音声出力制御部１３２は、音楽アプリ制御部１１１から与えられた音声情報を破棄する。ただし、音楽アプリ制御部１１１は、音声情報の出力を継続する。これにより、音声情報の出力先が一旦モバイル機器１００に戻る。
【０１０２】
ステップＳ２００において、無線通信制御部１３３は、ハンドオーバレコードに基づいて、アドレス情報が示すオーディオ機器３００とペアリング済みであるか否かを判定する。無線通信制御部１３３は、オーディオ機器３００とペアリング済みであると判定した場合には、ステップＳ２２０に進み、オーディオ機器３００とペアリング済みでないと判定した場合には、ステップＳ２１０に進む。
【０１０３】
ステップＳ２１０において、無線通信制御部１３３は、オーディオ機器３００の無線通信部３１０とのペアリング（例えば、アドレス情報の交換等）を開始する一方、ペアリングを開始する旨をハンドオーバアプリ部１２０に通知する。また、無線通信制御部１３３は、ペアリングの進捗状況もハンドオーバアプリ部１２０に逐次通知する。
【０１０４】
音声出力先表示・変更ＵＩ部１２２は、ペアリング（ペア設定）が行われていることを報知するペアリング報知画像を生成し、表示制御部１３５に出力する。表示制御部１３５は、ペアリング報知画像を表示部１９０に表示する。ペアリング報知画像は図２４と同様の構成であればよい。無線通信制御部１３３は、ペアリングが終了した場合には、アドレス情報をハンドオーバレコードに登録し、ステップＳ２２０に進む。
【０１０５】
ステップＳ２２０において、無線通信制御部１３３は、アドレス情報が示すオーディオ機器３００、すなわち無線通信部３１０への接続処理（無線通信の通信経路を確立する処理）を開始する。一方、無線通信制御部１３３は、オーディオ機器３００との接続を行う旨をハンドオーバアプリ部１２０に通知する。
【０１０６】
音声出力先表示・変更ＵＩ部１２２は、オーディオ機器３００への接続処理が行われていることを報知する接続報知画像を生成し、表示制御部１３５に出力する。表示制御部１３５は、接続報知画像を表示部１９０に表示する。接続報知画像は図２５と同様の構成であればよい。
【０１０７】
無線通信制御部１３３は、オーディオ機器３００への接続が完了した場合には、その旨をハンドオーバアプリ部１２０に通知する。音声出力先表示・変更ＵＩ部１２２は、オーディオ機器３００への接続が完了したことを報知する接続完了報知画像を生成し、表示制御部１３５に出力する。表示制御部１３５は、接続完了報知画像を表示部１９０に表示する。接続完了報知画像は、図２６と同様の構成であればよい。
【０１０８】
一方、ハンドオーバ制御部１２１は、音声情報の出力を再開することを要求する旨の再開要求情報を音声出力制御部１３２に出力する。これに応じて、音声出力制御部１３２は音声情報を無線通信制御部１３３に出力し、無線通信制御部１３３は、音声情報を無線通信部１６０に出力し、無線通信部１６０は、音声情報を無線通信部３１０に送信する。無線通信部３１０は、音声情報を無線通信制御部３４０、及び制御部３７０を介して音声出力制御部３８０に出力する。音声出力制御部３８０は、音声情報をスピーカ３９０から出力する。これにより、ハンドオーバ制御部１２１は、音声出力先をオーディオ機器２００内の音声出力制御部２８０からオーディオ機器３００内の音声出力制御部３８０に変更する。
【０１０９】
また、音楽アプリ制御部１１１は、モバイル機器１００とオーディオ機器３００との接続処理中にも音声情報を継続して音声出力制御部１３２に出力するが、音声出力制御部１３２はこの音声情報を破棄する。したがって、オーディオ機器２００からの音声情報の出力が中断される。そして、モバイル機器１００とオーディオ機器３００との接続が確立された場合には、音声情報がオーディオ機器３００から出力される。したがって、オーディオ機器３００は、音声情報の出力が中断された期間、すなわち中断期間の分だけ進んだ音声情報を出力する。以上の処理により、体験２が実現される。
【０１１０】
（４−３．体験３に関する基本処理）
次に、体験３に関する基本処理を図１３に示すフローチャートに沿って説明する。前提として、図５に示すように、オーディオ機器２００が音声情報を出力している、すなわち、上述した体験１の処理が行われたものとする。ユーザは、音声出力先をオーディオ機器２００からモバイル機器１００に戻すために、モバイル機器１００をオーディオ機器２００に近接させる。これに応じて、オーディオ機器２００は、体験１と同様の処理（図１０に示す処理）を行う。一方、モバイル機器１００は、図１３に示す処理を行う。
【０１１１】
ステップＳ２３０において、ＮＦＣリーダライタ１７０は、オーディオ機器２００からＮＦＣ情報を取得することで、ＮＦＣタグ部２２０の近接、すなわちオーディオ機器２００の近接を検知する。そして、ＮＦＣリーダライタ１７０は、ＮＦＣ情報をＮＦＣ制御部１３４に出力し、ＮＦＣ制御部１３４は、ＮＦＣ情報をハンドオーバ制御部１２１に出力する。
【０１１２】
ステップＳ２４０において、ハンドオーバ制御部１２１は、ハンドオーバレコードを取得する。ステップＳ２５０において、ハンドオーバ制御部１２１は、ＮＦＣ情報からアドレス情報を抽出し、アドレス情報及びハンドオーバレコードを無線通信制御部１３３に出力する。
【０１１３】
ステップＳ２６０において、無線通信制御部１３３は、オーディオ機器２００（すなわち、抽出したアドレス情報が示すオーディオ機器）と接続中（無線通信の通信経路が確立中）であるか否かを判定する。無線通信制御部１３３は、オーディオ機器２００と接続中であると判定した場合には、ＮＦＣハンドオーバによる切断を行う旨をハンドオーバ制御部１２１及び音楽アプリ制御部１１１に通知し、ステップＳ２７０に進む。一方、無線通信制御部１３３は、オーディオ機器２００以外のオーディオ機器と接続されていないと判定した場合には、本処理を終了する。
【０１１４】
ステップＳ２７０において、無線通信制御部１３３は、オーディオ機器２００との通信経路を切断する。さらに、ハンドオーバ制御部１２１は、音声出力制御部１３２に音声情報の出力を停止することを要求する。これに応じて、音声出力制御部１３２は、音楽アプリ制御部１１１から与えられた音声情報の出力を停止する。例えば、音声出力制御部１３２には、音楽アプリ制御部１１１から与えられた音声情報を破棄する。ただし、音楽アプリ制御部１１１は、音声情報の出力を継続する。ハンドオーバ制御部１２１は、通信経路の切断が終了した後、音声出力先を無線通信制御部１３３からモバイル機器１００内の出力先（イヤホン４００またはスピーカ１５０）に変更することを要求する。これに応じて、音声出力制御部１３２は、音声情報の出力先をイヤホン４００またはスピーカ１５０に変更する。そして、音声出力制御部１３２は、音声情報をイヤホン４００またはスピーカ１５０に出力する。
【０１１５】
ステップＳ２８０において、無線通信制御部１３３は、通信経路が切断されたことを音楽アプリ部１１０に通知する。なお、無線通信制御部１３３は、ＮＦＣハンドオーバによる切断のみならず、他の原因によって無線通信が切断された場合にも、その旨を音楽アプリ部１１０に通知する。他の原因としては、例えば、モバイル機器１００とオーディオ機器２００との距離が無線通信可能範囲を超えたことが挙げられる。
【０１１６】
ステップＳ２９０において、音楽アプリ制御部１１１は、通信経路の切断がＮＦＣハンドオーバによるものであるか否かを判定する。音楽アプリ制御部１１１は、通信経路の切断がＮＦＣハンドオーバによるものであると判定した場合には、音声情報を継続して音声出力制御部１３２に変更する。音声出力制御部１３２は、イヤホン４００またはスピーカ１５０から音声情報を出力する。その後、音楽アプリ制御部１１１は、本処理を終了する。
【０１１７】
すなわち、この場合、モバイル機器１００は、音声情報の出力先をオーディオ機器２００内の音声出力制御部２８０からモバイル機器１００内の音声出力制御部１３２に変更する。また、音楽アプリ制御部１１１は、モバイル機器１００とオーディオ機器２００との切断処理中にも音声情報を継続して音声出力制御部１３２に出力するが、音声出力制御部１３２はこの音声情報を破棄する。したがって、オーディオ機器２００からの音声情報の出力が中断される。そして、モバイル機器１００とオーディオ機器２００との通信経路が切断された場合には、音声情報がモバイル機器１００から出力される。したがって、モバイル機器１００は、音声情報の出力が中断された期間、すなわち中断期間の分だけ進んだ音声情報を出力する。
【０１１８】
一方、音楽アプリ制御部１１１は、通信経路の切断がＮＦＣハンドオーバによるものでないと判定した場合には、ステップＳ３００に進む。ステップＳ３００において、音楽アプリ制御部１１１は、音声出力を一時停止する。この場合、ＮＦＣハンドオーバ以外の原因によって無線通信が切断されたからである。その後、音楽アプリ制御部１１１は、本処理を終了する。以上の処理により、体験３が実現される。
【０１１９】
このように、体験３では、音声出力先がオーディオ機器２００からモバイル機器１００に戻るが、モバイル機器１００にイヤホン４００が挿入されていない場合、ユーザは、スピーカ１５０からの音声出力を望まない可能性がある。そこで、モバイル機器１００は、体験３において図１４に示す処理を行なってもよい。図１４に示すように、この処理は、ステップＳ２９０以降の処理が異なる。
【０１２０】
すなわち、ステップＳ３２０において、イヤホン挿抜状態監視部１３１は、監視結果情報を音楽アプリ制御部１１１に出力する。音楽アプリ制御部１１１は、監視結果情報に基づいて、イヤホン４００がモバイル機器１００に接続中であるか否かを判定する。音楽アプリ制御部１１１は、イヤホン４００がモバイル機器１００に接続中であると判定した場合には、音声情報の出力を継続して音声出力制御部１３２に出力する。音声出力制御部１３２は、イヤホン４００から音声情報を出力する。その後、音楽アプリ制御部１１１は、本処理を終了する。
【０１２１】
一方、音楽アプリ制御部１１１は、イヤホン４００がモバイル機器１００から抜かれていると判定した場合には、ステップＳ３３０に進む。ステップＳ３３０において、音楽アプリ制御部１１１は、音声出力を一時停止する。その後、音楽アプリ制御部１１１は、本処理を終了する。音楽アプリ制御部１１１は、イヤホン４００がモバイル機器１００に接続された場合に、音声出力を再開する。音声情報は、音声出力制御部１３２に出力される。図１４の処理によれば、モバイル機器１００は、イヤホン４００が抜かれたモバイル機器１００が音声出力先のオーディオ機器に近接した場合、音声出力先をモバイル機器１００に戻しつつ、モバイル機器１００からの音声出力を一時停止することができる。また、何らかの原因でモバイル機器１００と音声出力先のオーディオ機器との通信経路が切断された場合、モバイル機器１００は、イヤホン４００から音声情報を出力することができる。図１３の処理と図１４の処理とが併用されてもよい。
【０１２２】
（４−４．体験１におけるイヤホン抜け時の処理）
体験１では、上述したように、音声出力先がモバイル機器１００からオーディオ機器２００に変更されるので、ユーザは、音声出力先の変更後に、モバイル機器１００からイヤホン４００を抜く可能性がある。このような場合であっても、オーディオ機器２００から音声情報の出力が継続されることが好ましい。そこで、モバイル機器１００は、図１５に示す処理を行ってもよい。
【０１２３】
ステップＳ３４０において、ユーザは、イヤホン４００をモバイル機器１００から抜く。これに応じて、イヤホン挿抜状態監視部１３１は、イヤホン４００がモバイル機器１００から抜かれた旨の監視結果情報を音楽アプリ制御部１１１に出力する。
【０１２４】
ステップＳ３５０において、音楽アプリ制御部１１１は、音声情報の出力中（音楽再生中）であるか否かを判定する。音楽アプリ制御部１１１は、音声情報の出力中であると判定した場合には、ステップＳ３６０に進み、音声情報の出力中でないと判定した場合には、本処理を終了する。
【０１２５】
ステップＳ３６０において、音楽アプリ制御部１１１は、いずれかのオーディオ機器に無線接続中である（通信経路が確立されている）か否かを判定する。音楽アプリ制御部１１１は、いずれかのオーディオ機器に無線接続中であると判定した場合には、本処理を終了し、いずれのオーディオ機器にも無線接続されていないと判定した場合には、ステップＳ３７０に進む。
【０１２６】
ステップＳ３７０において、音楽アプリ制御部１１１は、音声情報の出力を一時停止する。この場合、音声出力先がモバイル機器１００となっており、かつ、イヤホン４００がモバイル機器１００から抜かれたからである。その後、音楽アプリ制御部１１１は、本処理を終了する。音楽アプリ制御部１１１は、イヤホン４００がモバイル機器１００に接続された場合に、音声情報の出力を再開する。体験１の実行中では、ステップＳ３６０で「Ｙｅｓ」方向に進むので、音声情報の出力が継続される。
【０１２７】
（４−５．体験１におけるフェードイン、フェードアウトの処理）
上述したように、体験１〜３では、通信経路が確立（または切断）される前に各機器からの音声情報の出力が停止し、通信経路が確立（または切断）された後に各機器からの音声出力が再開される。ここで、音声情報の停止時には、音声情報をフェードアウトさせた方が好ましく、音声情報の再開時には音声情報をフェードインさせたほうが好ましい。音声情報をフェードイン、フェードアウトさせた場合、ユーザはより違和感の少ない音声情報を聴くことができるからである。そこで、モバイル機器１００は、体験１において図１６に示す処理を行なってもよい。
【０１２８】
ステップＳ３８０において、モバイル機器１００は、図１１に示すステップＳ５０〜Ｓ１１０の処理を行う。ステップＳ３９０において、無線通信制御部１３３は、ステップＳ７０で抽出したアドレス情報が示すオーディオ機器２００への接続処理を開始する。
【０１２９】
ステップＳ４００において、無線通信制御部１３３は、オーディオ機器２００との接続を行う旨をハンドオーバアプリ部１２０に通知する。ハンドオーバ制御部１２１は、音声出力制御部１３２に音声情報の出力を停止することを要求する。これに応じて、音声出力制御部１３２は、音楽アプリ制御部１１１から与えられた音声情報の出力をフェードアウトさせる。具体的には、音声出力制御部１３２は、音声出力制御部１３２に設定された音量で音声情報をイヤホン４００（またはスピーカ１５０）に出力する一方、音声出力制御部１３２に設定された音量を時間の経過に応じて低下させる。これにより、イヤホン４００（またはスピーカ１５０）から出力される音声情報もフェードアウトされる。ただし、音楽アプリ制御部１１１は、音声情報の出力を継続する。
【０１３０】
ここで、フェードアウトの時間（フェードアウトが開始されてから音声出力制御部１３２の設定音量が０になるまでの時間）は予め設定される。また、音声出力制御部１３２は、フェードアウト開始時に音声出力制御部１３２に設定された音量と、フェードアウトの時間とに基づいて、フェードアウトの傾き（単位時間当りの音量低下量）を設定する。
【０１３１】
ステップＳ４１０において、無線通信制御部１３３は、オーディオ機器２００への接続が完了するまで待機する。無線通信制御部１３３は、オーディオ機器２００への接続が完了したと判定した場合には、ステップＳ４２０に進む。
【０１３２】
ステップＳ４２０において、オーディオ機器２００への接続が完了した旨をハンドオーバアプリ部１２０に通知する。ハンドオーバ制御部１２１は、音声出力先を現在の出力先（イヤホン４００）から無線通信制御部１３３に変更することを要求する旨の変更要求情報を音声出力制御部１３２に出力する。これに応じて、音声出力制御部１３２は、音声情報の出力先を現在の出力先から無線通信制御部１３３に変更する。
【０１３３】
無線通信制御部１３３は、音声情報を音声出力制御部１３２に設定された音量で無線通信部１６０に出力する一方、音声出力制御部１３２は、当該音声出力制御部１３２に設定された音量を時間の経過に応じて上昇させる。これにより、無線通信制御部１３３は、音声情報をフェードインさせる。フェードインの時間はフェードアウトの時間と同一であり、フェードインの傾き（単位時間当りの音量上昇量）はフェードアウトの傾きの符号を変えたものとされる。もちろん、フェードイン、アウトの時間及び傾きはこれらの例に限られない。例えば、フェードイン、アウトの時間は互いに異なっていてもよい。これらの傾きの絶対値も異なっていてもよい。また、フェードイン、アウトのタイミングは任意に変更されてもよい。例えば、通信経路の確立（または切断）の処理において、オーディオ機器毎に処理時間にゆらぎのある時間帯ではフェードイン、アウトを行わず、処理時間のゆらぎの小さい時間帯にフェードイン、アウトを開始してもよい。その後、モバイル機器１００は、本処理を終了する。
【０１３４】
（４−６．体験２におけるフェードイン、フェードアウトの処理）
同様に、モバイル機器１００は、体験２において図１７に示す処理を行なってもよい。ステップＳ４８０において、モバイル機器１００は、図１２に示すステップＳ１３０〜Ｓ１８０の処理を行う。
【０１３５】
ステップＳ４９０において、無線通信制御部１３３は、オーディオ機器３００以外のオーディオ機器（移行元オーディオ機器）、すなわちオーディオ機器２００との通信経路を切断する処理を開始する。
【０１３６】
ステップＳ５００において、無線通信制御部１３３は、音声情報を音声出力制御部１３２に設定された音量で無線通信部１６０に出力する一方、音声出力制御部１３２は、当該音声出力制御部１３２に設定された音量を時間の経過に応じて低下させる。これにより、無線通信制御部１３３は、音声情報をフェードアウトさせる。これにより、オーディオ機器２００から出力される音声情報もフェードアウトされる。ここで、フェードアウトの時間、傾きは上述した例と同様であればよい。なお、音楽アプリ制御部１１１は、音声情報の出力を継続する。
【０１３７】
ステップＳ５１０において、無線通信制御部１３３は、オーディオ機器２００との通信経路が切断されるまで待機する。その後、無線通信制御部１３３は、ステップＳ５２０に進む。
【０１３８】
ステップＳ５２０において、無線通信制御部１３３は、フェードアウトが完了している（すなわち、音声出力制御部１３２に設定された音量が０になっている）か否かを判定する。無線通信制御部１３３は、フェードアウトが完了していると判定した場合には、ステップＳ５４０に進み、フェードアウトが完了していないと判定した場合には、ステップＳ５３０に進む。
【０１３９】
ステップＳ５３０において、音声出力制御部１３２は、当該音声出力制御部１３２に設定された音量を０にする。
【０１４０】
ステップＳ５４０において、無線通信制御部１３３は、アドレス情報が示すオーディオ機器３００、すなわち移行先オーディオ機器への接続処理を開始する。一方、無線通信制御部１３３は、オーディオ機器３００との接続を行う旨をハンドオーバアプリ部１２０に通知する。
【０１４１】
ステップＳ５５０において、無線通信制御部１３３は、オーディオ機器３００への接続が完了するまで待機し、その後、ステップＳ５６０に進む。
【０１４２】
ステップＳ５６０において、無線通信制御部１３３は、オーディオ機器３００への接続が完了した旨をハンドオーバアプリ部１２０に通知する。一方、ハンドオーバ制御部１２１は、音声情報の出力を再開することを要求する旨の再開要求情報を無線通信制御部１３３に出力する。
【０１４３】
これに応じて、無線通信制御部１３３は、音声情報を音声出力制御部１３２に設定された音量で無線通信部１６０に出力する一方、音声出力制御部１３２は、当該音声出力制御部１３２に設定された音量を時間の経過に応じて上昇させる。これにより、無線通信制御部１３３は、音声情報をフェードインさせる。フェードインの時間、傾きは上述した例と同様であればよい。その後、モバイル機器１００は、本処理を終了する。
【０１４４】
（４−５．体験３におけるフェードイン、フェードアウトの処理）
同様に、モバイル機器１００は、体験３において図１８に示す処理を行なってもよい。ステップＳ４３０において、モバイル機器１００は、図１３に示すステップＳ２３０〜Ｓ２６０の処理を行う。
【０１４５】
ステップＳ４４０において、無線通信制御部１３３は、ステップＳ２５０で抽出したアドレス情報が示すオーディオ機器、すなわちオーディオ機器２００との通信経路を切断する処理を開始する。さらに、ハンドオーバ制御部１２１は、無線通信制御部１３３に音声情報の出力を停止することを要求する。
【０１４６】
ステップＳ４５０において、無線通信制御部１３３は、音声情報を音声出力制御部１３２に設定された音量で無線通信部１６０に出力する一方、音声出力制御部１３２は、当該音声出力制御部１３２に設定された音量を時間の経過に応じて低下させる。これにより、無線通信制御部１３３は、音声情報をフェードアウトさせる。これにより、オーディオ機器２００から出力される音声情報もフェードアウトされる。ここで、フェードアウトの時間、傾きは上述した例と同様であればよい。また、音楽アプリ制御部１１１は、音声情報の出力を継続する。
【０１４７】
ステップＳ４６０において、無線通信制御部１３３は、通信経路の切断が完了するまで待機し、その後、ステップＳ４７０に進む。
【０１４８】
ステップＳ４７０において、ハンドオーバ制御部１２１は、音声出力先を無線通信制御部１３３からモバイル機器１００内の出力先（イヤホン４００またはスピーカ１５０）に変更することを要求する。これに応じて、音声出力制御部１３２は、音声情報の出力先をイヤホン４００またはスピーカ１５０に変更する。一方、無線通信制御部１３３は、通信経路が切断されたことを音楽アプリ部１１０に通知する。音楽アプリ制御部１１１は、通信経路の切断がＮＦＣハンドオーバによるものであるか否かを判定する。音楽アプリ制御部１１１は、通信経路の切断がＮＦＣハンドオーバによるものであると判定した場合には、音声情報の出力を継続する。
【０１４９】
音声出力制御部１３２は、音楽アプリ制御部１１１から与えられた音声情報の出力をフェードインさせる。具体的には、音声出力制御部１３２は、音声出力制御部１３２に設定された音量で音声情報をイヤホン４００（またはスピーカ１５０）に出力する一方、音声出力制御部１３２に設定された音量を時間の経過に応じて上昇させる。これにより、イヤホン４００（またはスピーカ１５０）から出力される音声情報もフェードインされる。その後、音楽アプリ制御部１１１は、本処理を終了する。なお、音楽アプリ制御部１１１は、通信経路の切断がＮＦＣハンドオーバによるものでないと判定した場合には、図１３に示すステップＳ３００と同様の処理を行う。その後、音楽アプリ制御部１１１は、本処理を終了する。
【０１５０】
（４−６．通信経路確立時（接続時）における音量設定処理）
上述したように、体験１、２では、ユーザは、モバイル機器１００を用いて音声出力先をオーディオ機器２００またはオーディオ機器３００に変更することができる。ここで、オーディオ機器２００、３００毎にモバイル機器１００の音量（音声出力制御部１３２の音量）が予め設定されていれば、ユーザは、変更毎に音量の調整をする手間が省ける。また、音声出力先がオーディオ機器２００、３００に変更された際に、音声情報がユーザの意図しない音量でこれらのオーディオ機器から出力される可能性が低減される。そこで、モバイル機器１００は、体験１、２の処理を行う際に、図１９に示す処理を行なってもよい。
【０１５１】
ステップＳ５７０〜Ｓ５８０において、モバイル機器１００は、図１１に示すステップＳ５０〜Ｓ１２０の処理を行う。ステップＳ５９０において、音声出力制御部１３２は、音声出力制御部１３２に設定された音量を一時記憶する。
【０１５２】
ステップＳ６００において、音声出力制御部１３２は、接続先（移行先）オーディオ機器との接続用の音量を記憶（保持）しているか否かを判定する。音声出力制御部１３２は、移行先オーディオ機器との接続用の音量を記憶していると判定した場合には、ステップＳ６１０に進む。音声出力制御部１３２は、移行先オーディオ機器との接続用の音量を記憶していないと判定した場合には、設定音量を現在の値に維持し、本処理を終了する。この場合、無線通信制御部１３３は、音声出力制御部１３２の現在の設定音量で音声情報を出力する。
【０１５３】
ステップＳ６１０において、音声出力制御部１３２は、音声出力制御部１３２に設定された音量を、移行先オーディオ機器との接続用の音量に変更する。その後、音声出力制御部１３２は、本処理を終了する。この場合、無線通信制御部１３３は、移行先オーディオ機器との接続用の音量で音声情報を出力する。
【０１５４】
（４−７．通信経路切断時における音量設定処理）
上述したように、体験３では、ユーザは、モバイル機器１００を用いて音声出力先をオーディオ機器２００またはオーディオ機器３００からモバイル機器１００に戻すことができる。ここで、音声出力先がモバイル機器１００に戻った際に、モバイル機器１００の音量が自動的に当初の値（音声出力先がオーディオ機器２００等に移行する前の値）に戻れば、ユーザは、変更毎に音量の調整をする手間が省ける。そこで、モバイル機器１００は、体験３の処理を行う際に、図２０に示す処理を行なってもよい。
【０１５５】
ステップＳ６２０において、モバイル機器１００は、図１３に示すステップＳ２３０〜Ｓ２６０の処理を行う。ステップＳ６３０において、音声出力制御部１３２は、音声出力制御部１３２に設定された音量を移行先オーディオ機器との接続用の音量として記憶する。
【０１５６】
ステップＳ６４０において、モバイル機器１００は、ステップＳ２７０と同様の処理を行う。ステップＳ６５０において、音声出力制御部１３２は、音量設定値を図１９に示すステップＳ５９０で記憶した値に戻す。その後、音声出力制御部１３２は、本処理を終了する。
【０１５７】
なお、ＮＦＣタグ部２２０にオーディオ機器２００の現在の音量設定値を記憶させておき、ＮＦＣタグ部２２０は、この音量設定値もＮＦＣ情報としてモバイル機器１００に送信してもよい。オーディオ機器３００についても同様である。そして、音声出力制御部１３２は、オーディオ機器２００、３００の音量設定値に基づいて、音声出力制御部１３２の音量を設定してもよい。例えば、オーディオ機器２００、３００毎に音量の目標値を設定しておき、音声出力制御部１３２は、音声出力制御部１３２の音量とオーディオ機器２００、３００の音量とを乗じた値が目標値に一致するように、音声出力制御部１３２の音量を設定してもよい。
【０１５８】
（４−８．オーディオ機器の電源オン処理に関する変形例）
次に、オーディオ機器２００、３００の電源オン処理に関する変形例について図２１に示すフローチャートにそって説明する。なお、以下の説明では、オーディオ機器２００が行う処理について説明するが、オーディオ機器３００も同様の処理が可能である。
【０１５９】
ステップＳ６６０〜６７０において、オーディオ機器２００は、図１０に示すステップＳ１０〜Ｓ３０の処理を行う。ステップＳ６８０において、無線通信制御部２４０は、ＮＦＣ近接（ＮＦＣハンドオーバ）による電源オンが行われた（すなわち、ステップＳ６６０〜Ｓ６７０の処理が行われた）か否かを判定する。無線通信制御部２４０は、ＮＦＣ近接（ＮＦＣハンドオーバ）による電源オンが行われたと判定した場合には、ステップＳ６９０に進み、それ以外の場合には、本処理を終了する。ステップＳ６９０において、無線通信制御部２４０は、図１０に示すステップＳ４０と同様の処理を行う。これにより、無線通信制御部２４０は、効率良く接続待ち受けモードに入ることができる。
【０１６０】
以上により、本実施形態では、モバイル機器１００は、ＮＦＣタグ部２１０、３１０への近接が検出された場合に、音声出力先を現在の出力先から音声出力制御部１３２、２８０、３８０のいずれかに変更する。これにより、ユーザは、音声情報の出力先をより容易に変更することができる。
【０１６１】
例えば、体験１では、現在の出力先が音声出力制御部１３２となり、移行先の音声出力制御部が音声出力制御部２８０となる。体験２では、現在の出力先が音声出力制御部２８０となり、移行先の音声出力制御部が音声出力制御部３８０となる。体験３では、現在の出力先が音声出力制御部２８０となり、移行先の音声出力制御部が音声出力制御部１３２となる。
【０１６２】
さらに、モバイル機器１００は、現在の出力先と移行後の出力先とのうち、いずれかの状態に基づいて、音声情報の出力を制御するので、音声情報をより詳細に制御することができる。
【０１６３】
さらに、モバイル機器１００は、モバイル機器１００に音声出力先が戻る場合に、モバイル機器１００にイヤホン４００が接続されているか否かを判定し、判定結果に基づいて、音声情報の出力を制御する。したがって、モバイル機器１００は、音声情報の出力をより詳細に制御することができる。
【０１６４】
具体的には、モバイル機器１００は、モバイル機器１００にイヤホン４００が接続されていない場合に、音声情報の出力を停止する。これにより、ユーザの意図しない出力が防止される。
【０１６５】
さらに、モバイル機器１００は、現在の出力先及び移行先の音声出力制御部のうち、少なくとも一方の状態に基づいて、音声情報の音量を調整するので、音量をより詳細に調整することができる。
【０１６６】
具体的には、モバイル機器１００は、現在の出力先及び移行先の音声出力制御部に設定された音量のうち、少なくとも一方の音量に基づいて、音声情報の音量を調整するので、音量をより詳細に調整することができる。
【０１６７】
さらに、モバイル機器１００は、現在の出力先及び移行先の出力制御部のうち、少なくとも一方の通信状態に基づいて、音声情報の出力を制御するので、音声情報の出力をより詳細に制御することができる。
【０１６８】
具体的には、モバイル機器１００は、ＮＦＣタグ部２１０、３１０への近接により現在の出力先との通信経路が切断された場合に、音声情報の出力を継続するので、ユーザは、音声情報を継続して楽しむことができる。
【０１６９】
さらに、モバイル機器１００は、現在の出力先がモバイル機器１００となる場合に、モバイル機器１００にイヤホン４００が接続されているか否かを判定する。そして、モバイル機器１００は、イヤホン４００がモバイル機器１００に接続されていないと判定し、かつ、移行先の出力制御部との通信経路が確立されている場合には、音声情報の出力を継続する。したがって、ユーザは、音声情報を継続して楽しむことができる。
【０１７０】
さらに、モバイル機器１００は、現在の出力先との通信経路が切断される前に、音声情報のフェードアウトを開始し、移行先の出力制御部との通信経路が確立された際に、音声情報のフェードインを開始する。したがって、ユーザは、より違和感の少ない音声情報を楽しむことができる。
【０１７１】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１７２】
例えば、上記実施形態では、コンテンツ情報を音声情報としたが、本技術はかかる例に限定されない。例えば、コンテンツ情報は画像情報等であってもよい。この場合、各機器は画像表示用の機器を有する。また、挿抜状態監視の対象はイヤホン４００以外の媒体、例えばヘッドホンであってもよい。また、各動作の動作主体は上述した例に限られない。例えば、無線通信制御部１３３が行う処理をハンドオーバ制御部１２１に実行させてもよい。
【０１７３】
また、上述した処理では、ある通信経路が確立される場合には、他の通信経路が切断される。すなわち、確立される通信経路は１つとなる。しかし、複数の通信経路が同時に確立してもよい。すなわち、モバイル機器１００は、一の通信経路の確立中に他の通信経路を確立した場合、一の通信経路を維持してもよい。この場合、例えば複数の機器から同時に音声情報が出力されてもよい。
【０１７４】
また、複数のユーザが互いにオーディオ機器２００またはオーディオ機器３００を横取りするようにしてもよい。例えば、あるユーザのモバイル機器１００とオーディオ機器２００との通信経路が確立されている際に、他のユーザが自分のモバイル機器１００をオーディオ機器２００に近づける。この場合、他のユーザのモバイル機器１００は、オーディオ機器２００との通信経路を確立する一方、あるユーザのモバイル機器１００との通信経路を切断してもよい。これにより、例えば、あるユーザがモバイル機器１００とオーディオ機器２００との通信経路を確立したまま外出した場合であっても、他のユーザは、自由に体験１を楽しむことができる。
【０１７５】
また、上述した処理では、モバイル機器１００が各種報知画像を表示するが、オーディオ機器２００、３００に表示部を備えさせ、当該表示部に各種報知画像と同様の画像を表示させるようにしてもよい。また、モバイル機器１００、オーディオ機器２００、３００のそれぞれにおいて、例えば近接時にインプレッシブな演出を行なってもよい。例えば、モバイル機器１００の表示部１９０に、オーディオ機器２００、３００との距離に応じて変化する画像を表示させてもよい。また、オーディオ機器２００、３００に発光部（ランプ等）を備えさせ、モバイル機器１００が近接したら発行部が光る、モバイル機器１００
との距離に応じた発光量で発光部を光らせる等の処理が行われても良い。また、オーディオ機器２００、３００が表示部を有する場合、ＮＦＣ情報の送信時に、ＮＦＣ情報がモバイル機器１００に飛んでいく様子を示す画像を表示部に表示させてもよい。
【０１７６】
また、ＮＦＣタグ部２１０、３１０は、オーディオ機器２００、３００に内蔵されていなくてもよい。また、オーディオ機器２００、３００はＮＦＣタグ部２１０、３１０の代わりにオーディオ機器２００の無線通信用のアドレスを何らかの形態（例えばＱＲコード（登録商標）等）で表示する表示部を備えてもよい。この場合、モバイル機器１００は、表示部に表示されたアドレスを読み取り可能なもの（例えば撮像部）を有する。
【０１７７】
なお、以下のような構成も本開示の技術的範囲に属する。
（１）
第１の出力制御部を識別するための識別情報を送信する送信部への近接を検出する近接判定部と、
前記送信部への近接が検出された場合に、前記コンテンツ情報の出力先を現在の出力先から前記第１の出力制御部または第２の出力制御部に変更する制御部と、を備える、情報処理装置。
（２）
前記送信部は、前記近接判定部が近接した際に、前記識別情報を送信可能である、前記（１）記載の情報処理装置。
（３）
前記制御部は、前記コンテンツ情報の出力先を現在の出力先である前記第１の出力制御部から前記第２の出力制御部に変更し、前記第１の出力制御部及び前記第２の出力制御部のうち、少なくとも一方の状態に基づいて、前記コンテンツ情報の出力を制御する、前記（１）記載の情報処理装置。
（４）
前記制御部は、前記第２の出力制御部に所定の情報出力媒体が接続されているか否かを判定し、判定結果に基づいて、前記コンテンツ情報の出力を制御する、前記（３）記載の情報処理装置。
（５）
前記制御部は、前記第２の出力制御部に前記所定の情報出力媒体が接続されていないと判定した場合には、前記第２の出力制御部への前記コンテンツ情報の出力を停止する、前記（４）記載の情報処理装置。
（６）
前記コンテンツ情報は音声情報であり、
前記制御部は、前記第１の出力制御部及び前記第２の出力制御部のうち、少なくとも一方の状態に基づいて、前記コンテンツ情報の音量を調整する、前記（３）〜（５）のいずれか１項に記載の情報処理装置。
（７）
前記制御部は、前記第１の出力制御部に設定された音量及び前記第２の出力制御部に設定された音量のうち、少なくとも一方の音量に基づいて、前記コンテンツ情報の音量を調整する、前記（６）記載の情報処理装置。
（８）
前記送信部への近接が検出された場合に、前記第１の出力制御部との通信経路を切断し、かつ、前記第２の出力制御部との通信経路を確立する通信部を備え、
前記制御部は、前記第１の出力制御部及び前記第２の出力制御部のうち、少なくとも一方の通信状態に基づいて、前記コンテンツ情報の出力を制御する、前記（３）〜（７）のいずれか１項に記載の情報処理装置。
（９）
前記制御部は、前記送信部への近接により前記第１の出力制御部との通信経路が切断された場合に、前記コンテンツ情報の出力を継続する、前記（８）記載の情報処理装置。
（１０）
前記制御部は、前記第１の出力制御部に所定の情報出力媒体が接続されているか否かを判定し、前記第１の出力制御部に前記所定の情報出力媒体が接続されていないと判定し、かつ、前記第２の出力制御部との通信経路が確立されている場合には、前記コンテンツ情報の出力を継続する、前記（８）または（９）記載の情報処理装置。
（１１）
前記制御部は、前記第１の出力制御部との通信経路が切断される前に、前記コンテンツ情報のフェードアウトを開始し、前記第２の出力制御部との通信経路が確立された際に、前記コンテンツ情報のフェードインを開始する、前記（８）〜（１０）のいずれか１項に記載の情報処理装置。
（１２）
第１の出力制御部を識別するための識別情報を有する送信部への近接を検出することと、
前記送信部への近接が検出された場合に、前記コンテンツ情報の出力先を前記第１の出力制御部または第２の出力制御部に変更することと、を含む、情報処理方法。
（１３）
コンピュータに、
第１の出力制御部を識別するための識別情報を有する送信部への近接を検出する近接判定機能と、
前記送信部への近接が検出された場合に、前記コンテンツ情報の出力先を前記第１の出力制御部または第２の出力制御部に変更する制御機能と、を実現させる、プログラム。
【符号の説明】
【０１７８】
１００      モバイル機器
１１０ａ    制御部
１１０      音楽アプリ部
１１１      音楽アプリ制御部
１２０      ハンドオーバアプリ部
１２１      ハンドオーバ制御部
１２２      音声出力先表示・変更ＵＩ部
１３１      イヤホン挿抜状態監視部
１３２      音声出力制御部
１３３      無線通信制御部
１３４      ＮＦＣ制御部
１３５      表示制御部
１５０      スピーカ
１６０      無線通信部
１７０      ＮＦＣリーダライタ
１８０      バイブレーション装置
１９０      表示部
２００      オーディオ機器
２１０      ＮＦＣタグ部
２８０      音声出力制御部
３００      オーディオ機器
３１０      ＮＦＣタグ部
３８０      音声出力制御部
４００      イヤホン
【図１】
2014044483.tif 000003
【図２】
2014044483.tif 000004
【図３】
2014044483.tif 000005
【図４】
2014044483.tif 000006
【図５】
2014044483.tif 000007
【図６】
2014044483.tif 000008
【図７】
2014044483.tif 000009
【図８】
2014044483.tif 000010
【図９】
2014044483.tif 000011
【図１０】
2014044483.tif 000012
【図１１】
2014044483.tif 000013
【図１２】
2014044483.tif 000014
【図１３】
2014044483.tif 000015
【図１４】
2014044483.tif 000016
【図１５】
2014044483.tif 000017
【図１６】
2014044483.tif 000018
【図１７】
2014044483.tif 000019
【図１８】
2014044483.tif 000020
【図１９】
2014044483.tif 000021
【図２０】
2014044483.tif 000022
【図２１】
2014044483.tif 000023
【図２２】
2014044483.tif 000024
【図２３】
2014044483.tif 000025
【図２４】
2014044483.tif 000026
【図２５】
2014044483.tif 000027
【図２６】
2014044483.tif 000028
【図２７】
2014044483.tif 000029
【図２８】
2014044483.tif 000030
【図２９】
2014044483.tif 000031
【図３０】
2014044483.tif 000032
【図３１】
2014044483.tif 000033
【図３２】
2014044483.tif 000034
【図３３】
2014044483.tif 000035